(57)【要約】【課題】  本発明の目的は、複雑な構成を必要とせず、簡単な構成でガイドレールと外れ止めの接触を防することができるエレベータの昇降案内装置を提供するにある。【解決手段】  本発明は上記目的を達成するためにミェレベータの昇降案内装置を、外れ止め装置４の配設位置とガイド装置３との配設位置との中間位置に配設される潤滑特性を有する間隔保持材１１とを備え、外れ止め４とガイドレール２の接触する前に、間隔保持材１１とガイドレール２とを接触させるように構成した。【選択図】図１
2016108128.tif 000002
【特許請求の範囲】
【請求項１】
乗りかごもしくはつり合いおもりから成る昇降体に設けられるとともにガイドレールに摺接して、昇降体をガイドレールに沿って昇降させるよう案内するガイド装置と、前記昇降体に設けられるとともに前記ガイド装置の摺接位置よりも反ガイドレール側に位置するよう設けられ前記昇降体がガイドレールから外れないようにガイドレールに当接する外れ止め装置とを備えたエレベータの昇降案内装置において、
前記外れ止め装置の配設位置と前記ガイド装置との配設位置との中間位置に配設される潤滑特性を有する間隔保持材を備えて構成したことを特徴とするエレベータの昇降案内装置。
【請求項２】
請求項１に記載のエレベータの昇降案内装置において、前記外れ止め装置と間隔保持材とは、同一の締結具で前記昇降体に固定されることを特徴とするエレベータの昇降案内装置。
【発明の詳細な説明】
【技術分野】
【０００１】
本発明は、ガイドレールに案内させて昇降させるエレベータの昇降案内装置に関する。
【背景技術】
【０００２】
エレベータにあっては、乗りかごおよびつり合いおもりの昇降を案内するため、一対のガイドレールが昇降路内に立設されるとともに、これらのガイドレールに乗りかごおよびつり合いおもりの四隅に設けられたガイド装置が係合している。
【０００３】
また、このガイド装置の直上または、直下に、乗りかごおよびつり合いおもりがガイドレールから外れることを防止するエレベータのレール外れ止め装置が設けられている。
【０００４】
このように構成されたレール外れ止め装置により、地震等により乗りかごおよびつり合いおもりが変位するとともに、ガイドレールに携みが生じてもレール外れ止め装置がガイドレールに係合することにより乗りかごおよびつり合いおもりがガイドレールから外れることを防止するよう構成されている。
【０００５】
しかし、この外れ止め装置は、乗りかご及びつり合いおもりをガイドレールから外れないように拘束するため、かなりの強度を必要とすることから、鋼板及びＬ鋼から作られている。
【０００６】
ところで、前記ガイド装置の摩耗が進行すると、ガイドレールと外れ止め装置との間隔が経年的に狭くなり、接触することとなるが、これは、金属同士の接触となり非常に不快な音が発生する不都合があった。
【０００７】
そこで従来では、この外れ止めを水平方向に移動可能とする支持体と、この支持体にガイドレール方向への押圧力を付与する押圧体と、前記ガイドレールに摺接し前記外れ止め体と前記ガイドレールとの間隔を保持する間隔保持体とを備えることで、ガイド装置が摩耗しても、間隔保持体と押圧体との相関関係に応じて、外れ止めの位置を変位させ、ガイドレールと外れ止めの間隔を一定に保ち、ガイド装置とレールとの接触を防止することが出来る方法が提案されていた（特許文献１参照）。
【先行技術文献】
【特許文献】
【０００８】
【特許文献１】特開２００４−２３１３４２号公報（段落０００７〜０００８、図１）
【発明の概要】
【発明が解決しようとする課題】
【０００９】
しかし従来技術では、外れ止めを昇降体及びガイドレールの携みに追従させるため、間隔保持体や押圧体等の複雑な構成が必要であり、更に、押圧体がレールを走行する時の転動音が大きく、コスト、性能及びメンテナンス性の悪さ等の不都合があった。
【００１０】
本発明は上記不都合に鑑みてなされたもので、その目的は、複雑な構成を必要とせず、簡単な構成でガイドレールと外れ止めの接触を防することができるエレベータの昇降案内装置を提供することにある。
【課題を解決するための手段】
【００１１】
上記目的を達成するため、本発明は、乗りかごもしくはつり合いおもりから成る昇降体に設けられるとともにガイドレールに摺接して、昇降体をガイドレールに沿って昇降させるよう案内するガイド装置と、前記昇降体に設けられるとともに前記ガイド装置の摺接位置よりも反ガイドレール側に位置するよう設けられ、前記昇降体がガイドレールから外れないようにガイドレールに当接する外れ止め装置とを備えたエレベータの昇降案内装置において、前記外れ止め装置の配設位置と前記ガイド装置との配設位置との中間位置に配設される潤滑特性を有する間隔保持材とを備えて構成したことを特徴とする。
【発明の効果】
【００１２】
本発明のエレベータの昇降案内装置によれば、ガイド装置が異常摩耗を起こしても、外れ止めとガイドレールが接触する前に、樹脂で成形された間隔保持材で昇降体を保持できるので、簡易な構成で外れ止めとガイドレールとの接触で発生する金属同士の不快な音の発生を防止することができる。
【図面の簡単な説明】
【００１３】
【図１】本発明のエレベータの昇降案内装置の一実施形態を示す正面図である。
【図２】図１の平面図である。
【発明を実施するための形態】
【００１４】
以下、本発明のエレベータの昇降案内装置の一実施の形態について、図１および図２に基づいて説明する。
【００１５】
図に示すように、昇降案内装置は、乗りかごの枠体１に設けられるとともに、ガイドレール２に摺接して、乗りかごをガイドレール２に沿って昇降させるよう案内するガイド装置３と、乗りかごの枠体１に設けられるとともに前記ガイド装置３の摺接位置よりも反ガイドレール側に位置するよう設けられ乗りかごをガイドレール１から外れないようにガイドレール１に当接するよう締結具１０で固定される外れ止め装置４と、この外れ止め装置４の配設位置と前記ガイド装置３との配設位置との中間位置に配設されるよう締結具１０で固定される間隔保持材１１とを備えて構成されている。
【００１６】
また、ここでは乗りかごを例に取り説明しているが、つり合いおもりの昇降案内装置にも適用できることは言うまでもない。
【００１７】
本発明の昇降案内装置によれば、以上のように構成したため、ガイド装置３が摩耗してガイドレール２と外れとめ装置４との間隔が経年的に狭くなっても、ガイドレール２と外れ止め装置４とが接触する前に間隔保持材１１がガイドレール２と摺接することにある。
【００１８】
この間隔保持材１１は、樹脂材等の潤滑特性の高い部材で形成されているため、前述した金属の接触音のような不快な音の発生を未然に防止可能である。
【００１９】
以上のように本実施の形態によれば、従来において問題になっていた複雑な構成を必要とせず、ガイドレール２と外れ止め装置４との接触を防止することができる。
【００２０】
また、図示していないが、前記間隔保持材１１の鉛直方向に寸法を変化させる（傾斜させて配設する）ことで、間隔保持材１１の接触面積を徐々に増やし、当初の面圧を下げることで間隔保持材１１の摩耗の進行を遅くすることもできる。
【００２１】
本実施形態においては、ガイドレール１と乗りかごとを結ぶ直線上に間隔保持材１１を設ける構成としたが、前記直線と直行する方向に設けても同様に前述した金属の接触音のような不快な音の発生を未然に防止可能である。
【符号の説明】
【００２２】
１  乗りかごの枠体
２  ガイドレール
３  ガイド装置
４  外れ止め装置
１０  外れ止め装置の固定締結具
１１  間隔保持材
【図１】
2016108128.tif 000003
【図２】
2016108128.tif 000004